【手続補正書】
【提出日】平成31年2月21日(2019.2.21)
【手続補正１】
【補正対象書類名】特許請求の範囲
【補正対象項目名】全文
【補正方法】変更
【補正の内容】
【特許請求の範囲】
【請求項１】
ワイヤレス通信の方法において、
複数の送信時間間隔、ＴＴＩ、長を備えるキャリア構成を識別することと、
共通の構成態様に少なくとも部分的に基づいて、前記複数のＴＴＩ長からの２以上のＴＴＩ長を備えるＴＴＩグループを識別することと、
前記識別されたＴＴＩグループに少なくとも部分的に基づいて、前記キャリア構成を使用して通信することとを含む方法。
【請求項２】
前記複数のＴＴＩ長からの１以上のＴＴＩ長を備える第２のＴＴＩグループを識別し、各ＴＴＩグループのＴＴＩ長は異なることと、
前記第２のＴＴＩグループに少なくとも部分的に基づいて、前記キャリア構成を使用して通信することとをさらに含む請求項１記載の方法。
【請求項３】
前記キャリア構成を使用して通信することは、
前記ＴＴＩグループ中の各ＴＴＩ長に対して、同一の制御チャネルフォーマットを使用して通信することを含む請求項１記載の方法。
【請求項４】
ＴＴＩグループ能力の表示を通信することと、
前記ＴＴＩグループ能力の表示に少なくとも部分的に基づいて、前記ＴＴＩグループを識別することとをさらに含む請求項１記載の方法。
【請求項５】
前記キャリア構成を識別することは、前記ＴＴＩグループに少なくとも部分的に基づいて、前記ＴＴＩグループに対する共有リソース割り振り粒度を識別することと、前記ＴＴＩグループに対する共有ハイブリッド自動再送要求、ＨＡＲＱ、プロセスを識別することと、または、共有ＨＡＲＱタイミングを識別することと、のうちの少なくとも１つ、あるいは、それらの任意の組み合わせを含む請求項１記載の方法。
【請求項６】
前記キャリア構成は、前記ＴＴＩグループに対する共有ソフトバッファを備える請求項１記載の方法。
【請求項７】
前記共有ソフトバッファのサイズは、前記ＴＴＩグループ中の最長のＴＴＩ長に少なくとも部分的に基づいている請求項６記載の方法。
【請求項８】
ワイヤレス通信のための装置において、
複数の送信時間間隔、ＴＴＩ、長を備えるキャリア構成を識別する手段と、
共通の構成態様に少なくとも部分的に基づいて、前記複数のＴＴＩ長からの２以上のＴＴＩ長を備えるＴＴＩグループを識別する手段と、
前記識別されたＴＴＩグループに少なくとも部分的に基づいて、前記キャリア構成を使用して通信する手段とを具備する装置。
【請求項９】
前記複数のＴＴＩ長からの１以上のＴＴＩ長を備える第２のＴＴＩグループを識別し、各ＴＴＩグループのＴＴＩ長は異なる手段と、
前記第２のＴＴＩグループに少なくとも部分的に基づいて、前記キャリア構成を使用して通信する手段とをさらに具備する請求項８記載の装置。
【請求項１０】
前記キャリア構成を使用して通信する手段は、
前記ＴＴＩグループ中の各ＴＴＩ長に対して、同一の制御チャネルフォーマットを使用して通信する手段を備える請求項８記載の装置。
【請求項１１】
ＴＴＩグループ能力の表示を通信する手段と、
前記ＴＴＩグループ能力の表示に少なくとも部分的に基づいて、前記ＴＴＩグループを識別する手段とをさらに具備する請求項８記載の装置。
【請求項１２】
前記キャリア構成を識別する手段は、前記ＴＴＩグループに少なくとも部分的に基づいて、ＴＴＩグループに対する共有リソース割り振り粒度を識別する手段と、前記ＴＴＩグループに対する共有ハイブリッド自動再送要求、ＨＡＲＱ、プロセスを識別する手段と、または、共有ＨＡＲＱタイミングを識別する手段と、のうちの少なくとも１つ、あるいは、それらの任意の組み合わせを備える請求項８記載の装置。
【請求項１３】
前記キャリア構成は、前記ＴＴＩグループに対する共有ソフトバッファを備える請求項８記載の装置。
【請求項１４】
前記キャリア構成は、前記ＴＴＩグループに対する共有チャネル状態情報、ＣＳＩ、報告構成を備える請求項８記載の装置。
【請求項１５】
コンピュータによって実行されるとき、前記コンピュータに、請求項１〜７のうちの１項にしたがう方法を実行させるコードを含むコンピュータプログラム。
【手続補正２】
【補正対象書類名】明細書
【補正対象項目名】０１５２
【補正方法】変更
【補正の内容】
【０１５２】
[0161]本明細書における説明は、当業者が本開示を作成または使用することを可能にするために提供される。本開示に対する様々な修正は、当業者にとって容易に明らかとなり、本明細書において定義された包括的な原理は、本開示の範囲から逸脱することなしに他の変形に適用され得る。よって、本開示は、本明細書において説明される例および設計に制限されず、本明細書において開示された原理および新規な特徴に合致する最も広い範囲が与えられるべきである。
以下に、本願出願の当初の特許請求の範囲に記載された発明を付記する。
［１］  複数の送信時間間隔（ＴＴＩ）長を備えるキャリア構成を識別することと、
前記複数のＴＴＩ長からの２以上のＴＴＩ長を備えるＴＴＩグループを識別することと、
前記識別されたＴＴＩグループに少なくとも一部基づき、前記キャリア構成を使用して通信することとを備える、ワイヤレス通信の方法。
［２］  前記複数のＴＴＩ長からの１以上のＴＴＩ長を備える第２のＴＴＩグループを識別することと、ここにおいて、各ＴＴＩグループのＴＴＩ長は異なり、
前記キャリア構成を使用し、および前記第２のＴＴＩグループに少なくとも一部基づき、通信することと、をさらに備える、［１］に記載の方法。
［３］  前記複数のＴＴＩ長は、１シンボルＴＴＩ長、２シンボルＴＴＩ長、スロットＴＴＩ長、またはサブフレームＴＴＩ長、のうちの少なくとも１つ、ないしはそれらの任意の組み合わせを備える、［１］に記載の方法。
［４］  前記キャリア構成を使用して通信することは、
前記ＴＴＩグループ中の各ＴＴＩ長に対して、同一の制御チャネルフォーマットを使用して、通信することを備える、［１］に記載の方法。
［５］  前記制御チャネルフォーマットは、スケジューリングされた通信のＴＴＩ長を示すフィールドを備え、ここにおいて、前記スケジューリングされた通信の前記ＴＴＩ長は、前記ＴＴＩグループから選択される、［４］に記載の方法。
［６］  前記ＴＴＩグループ中の第１のＴＴＩ長に少なくとも一部基づき、第１のハイブリッド自動再送要求（ＨＡＲＱ）送信を使用して、トランスポートブロックのために通信することと、
前記ＴＴＩグループ中の前記第１のＴＴＩ長と異なる、第２のＴＴＩ長に少なくとも一部基づき、第２のＨＡＲＱ送信を使用して、前記トランスポートブロックのために通信することと、をさらに備える、［１］に記載の方法。
［７］  ＴＴＩグループ能力の表示を通信することと、
前記ＴＴＩグループ能力の前記表示に少なくとも一部基づいて、前記ＴＴＩグループを識別することと、をさらに備える、［１］に記載の方法。
［８］  前記ＴＴＩグループおよびスケジューリングされた通信のランクに少なくとも一部基づいて、前記スケジューリングされた通信のためのＴＴＩ長を識別することと、をさらに備える、［１］に記載の方法。
［９］  前記キャリア構成を識別することは、前記ＴＴＩグループに少なくとも一部基づいて、前記ＴＴＩグループに対する共有リソース割り振り粒度を識別することと、前記ＴＴＩグループに対する共有ハイブリッド自動再送要求（ＨＡＲＱ）プロセスを識別することと、または共有ＨＡＲＱタイミングを識別することと、のうちの少なくとも１つ、ないしはそれらの任意の組み合わせ、を備える、［１］に記載の方法。
［１０］  前記キャリア構成は、前記ＴＴＩグループに対する共有ソフトバッファを備える、［１］に記載の方法。
［１１］  前記共有ソフトバッファのサイズは、前記ＴＴＩグループ中の最長のＴＴＩ長に少なくとも一部基づく、［１０］に記載の方法。
［１２］  前記キャリア構成は、前記ＴＴＩグループに対する共有チャネル状態情報（ＣＳＩ）報告構成を備える、［１］に記載の方法。
［１３］  前記共有ＣＳＩ報告構成は、前記ＴＴＩグループ中の最短のＴＴＩ長に少なくとも一部基づく、［１２］に記載の方法。
［１４］  前記ＴＴＩグループ中の少なくとも１つのＴＴＩ長は、限定された数の初期シンボル期間に関連付けられている、［１］に記載の方法。
［１５］  前記ＴＴＩグループからのＴＴＩ長に少なくとも一部基づいて、トランスポートブロック中の各コードブロックを、ＴＴＩの第１のシンボルにマッピングすることをさらに備え、ここにおいて、前記ＴＴＩ長は、１シンボル期間よりも大きい、［１］に記載の方法。
［１６］  前記ＴＴＩグループは、ユーザ機器（ＵＥ）能力に少なくとも一部基づき、ここにおいて、前記ＵＥ能力は、低レイテンシ動作に少なくとも一部基づく、［１］に記載の方法。
［１７］  ワイヤレス通信のための装置であって、
複数の送信時間間隔（ＴＴＩ）長を備えるキャリア構成を識別するための手段と、
前記複数のＴＴＩ長からの２以上のＴＴＩ長を備えるＴＴＩグループを識別するための手段と、
前記識別されたＴＴＩグループに少なくとも一部基づき、前記キャリア構成を使用して通信するための手段とを備える、ワイヤレス通信のための装置。
［１８］  前記複数のＴＴＩ長からの１以上のＴＴＩ長を備える第２のＴＴＩグループを識別するための手段と、ここにおいて、各ＴＴＩグループのＴＴＩ長は異なり、
前記キャリア構成を使用し、および前記第２のＴＴＩグループに少なくとも一部基づいて、通信するための手段と、をさらに備える、［１７］に記載の装置。
［１９］  前記複数のＴＴＩ長は、１シンボルＴＴＩ長、２シンボルＴＴＩ長、スロットＴＴＩ長、またはサブフレームＴＴＩ長、のうちの少なくとも１つ、ないしはそれらの任意の組み合わせを備える、［１７］に記載の装置。
［２０］  前記キャリア構成を使用して通信するための手段は、
前記ＴＴＩグループ中の各ＴＴＩ長に対して、同一の制御チャネルフォーマットを使用して、通信するための手段を備える、［１７］に記載の装置。
［２１］  前記ＴＴＩグループ中の第１のＴＴＩ長に少なくとも一部基づき、第１のハイブリッド自動再送要求（ＨＡＲＱ）送信を使用して、トランスポートブロックのために通信するための手段と、
前記ＴＴＩグループ中の前記第１のＴＴＩ長と異なる、第２のＴＴＩ長に少なくとも一部基づき、第２のＨＡＲＱ送信を使用して、前記トランスポートブロックのために通信するための手段と、をさらに備える、［１７］に記載の装置。
［２２］  ＴＴＩグループ能力の表示を通信するための手段と、
前記ＴＴＩグループ能力の前記表示に少なくとも一部基づいて、前記ＴＴＩグループを識別するための手段と、をさらに備える、［１７］に記載の装置。
［２３］  前記ＴＴＩグループおよびスケジューリングされた通信のランクに少なくとも一部基づいて、前記スケジューリングされた通信のためのＴＴＩ長を識別するための手段と、をさらに備える、［１７］に記載の装置。
［２４］  前記キャリア構成を識別するための手段は、前記ＴＴＩグループに少なくとも一部基づいて、ＴＴＩグループに対する共有リソース割り振り粒度を識別するための手段と、前記ＴＴＩグループに対する共有ハイブリッド自動再送要求（ＨＡＲＱ）プロセスを識別するための手段と、または共有ＨＡＲＱタイミングを識別するための手段と、のうちの少なくとも１つ、ないしはそれらの任意の組み合わせ、を備える、［１７］に記載の装置。
［２５］  前記キャリア構成は、前記ＴＴＩグループに対する共有ソフトバッファを備える、［１７］に記載の装置。
［２６］  前記キャリア構成は、前記ＴＴＩグループに対する共有チャネル状態情報（ＣＳＩ）報告構成を備える、［１７］に記載の装置。
［２７］  前記ＴＴＩグループ中の少なくとも１つのＴＴＩ長は、限定された数の初期シンボル期間に関連付けられている、［１７］に記載の装置。
［２８］  前記ＴＴＩグループからのＴＴＩ長に少なくとも一部基づいて、トランスポートブロック中の各コードブロックを、ＴＴＩの第１のシンボルにマッピングするための手段をさらに備え、ここにおいて、前記ＴＴＩ長は、１シンボル期間よりも大きい、［１７］に記載の装置。
［２９］  ワイヤレス通信のための装置であって、
プロセッサと、
前記プロセッサと電子的に通信するメモリと、
前記メモリ中に記憶され、前記プロセッサによって実行されるとき、前記装置が、
複数の送信時間間隔（ＴＴＩ）長を備えるキャリア構成を識別するようにさせ、
前記複数のＴＴＩ長からの２以上のＴＴＩ長を備えるＴＴＩグループを識別するようにさせ、
前記識別されたＴＴＩグループに少なくとも一部基づき、前記キャリア構成を使用して通信するようにさせるように動作可能な命令とを備える、ワイヤレス通信のための装置。
［３０］  ワイヤレス通信のためのコードを記憶する非一時的コンピュータ可読媒体であって、前記コードは、
複数の送信時間間隔（ＴＴＩ）長を備えるキャリア構成を識別し、
前記複数のＴＴＩ長からの２以上のＴＴＩ長を備えるＴＴＩグループを識別し、
前記識別されたＴＴＩグループに少なくとも一部基づき、前記キャリア構成を使用して通信するように実行可能な命令を備える、ワイヤレス通信のためのコードを記憶する非一時的コンピュータ可読媒体。